(57)【要約】【課題】医療用接続チューブを容易に組み立てたり固定したりすることができる上、医療用接続チューブが不用意に外れることを防ぐ医療用接続チューブの固定クリップを提供する。【解決手段】医療用接続チューブの固定クリップ１００は、挟着部材１および嵌合部材２を備え、医療用接続チューブを固定するために用いる。挟着部材１は、可撓性を備え、上押縁１１１と、上押縁１１１から延びた下ホルダ１１２とを有する第１の押え部材１１と、下押縁１２１と、下押縁１２１から延びた上ホルダ１２２とを有する第２の押え部材１２とを有する。上押縁１１１と下押縁１２１との間には、内圧空間が形成され、第１の押え部材１１と第２の押え部材１２とを交差させて上ホルダ１２２と下ホルダ１１２とを対向状に形成したり、第１の押え部材１１と第２の押え部材１２とを交差させずに上ホルダ１２２と下ホルダ１１２とを背中合わせに形成したりする。【選択図】図１
0003185409.tif 000002
【実用新案登録請求の範囲】
【請求項１】
挟着部材および嵌合部材を備え、医療用接続チューブを固定するために用いる医療用接続チューブの固定クリップであって、
前記挟着部材は、可撓性を備え、上押縁と、前記上押縁から延びた下ホルダとを有する第１の押え部材と、下押縁と、前記下押縁から延びた上ホルダとを有する第２の押え部材と、を有し、
前記上押縁と前記下押縁との間には、内圧空間が形成され、前記第１の押え部材と前記第２の押え部材とを交差させて前記上ホルダと前記下ホルダとを対向状に形成したり、前記第１の押え部材と前記第２の押え部材とを交差させずに前記上ホルダと前記下ホルダとを背中合わせに形成したりし、
前記嵌合部材は、前記挟着部材に延設され、前記医療用接続チューブを挿通させる挿通孔を有し、
前記第１の押え部材と前記第２の押え部材とが交差され、前記上押縁および前記下押縁に力が加えられて内圧空間が小さくなると、前記上ホルダと前記下ホルダとが分離して挟着開口が形成され、力が加えられなくなると、前記上ホルダと前記下ホルダとが復位して密着され、前記挟着開口が閉じられることを特徴とする医療用接続チューブの固定クリップ。
【請求項２】
前記嵌合部材と前記挟着部材とが一体成形されることを特徴とする請求項１に記載の医療用接続チューブの固定クリップ。
【請求項３】
前記挿通孔には、内方に突出した複数の突出部が形成されていることを特徴とする請求項１に記載の医療用接続チューブの固定クリップ。
【請求項４】
前記突出部は、プレート状であることを特徴とする請求項３に記載の医療用接続チューブの固定クリップ。
【請求項５】
前記突出部は、可撓性を有することを特徴とする請求項３に記載の医療用接続チューブの固定クリップ。
【請求項６】
前記内圧空間は、前記挿通孔の嵌合空間と連通することを特徴とする請求項１に記載の医療用接続チューブの固定クリップ。
【請求項７】
前記上ホルダと前記下ホルダとの互いに対向する側部には、それぞれ歯部が設けられていることを特徴とする請求項１に記載の医療用接続チューブの固定クリップ。
【請求項８】
前記第１の押え部材の前側と前記第２の押え部材の後側とには、溝部がそれぞれ凹設されることを特徴とする請求項１に記載の医療用接続チューブの固定クリップ。
【請求項９】
前記溝部は、円弧状に形成され、前記上押縁および前記下押縁の幅より大きい長さを有することを特徴とする請求項８に記載の医療用接続チューブの固定クリップ。
【請求項１０】
前記上押縁の上側および前記下押縁の底側には、押圧凹部がそれぞれ形成されることを特徴とする請求項１に記載の医療用接続チューブの固定クリップ。
【請求項１１】
前記挿通孔は円形状であることを特徴とする請求項１に記載の医療用接続チューブの固定クリップ。
【考案の詳細な説明】
【技術分野】
【０００１】
本考案は、医療用接続チューブの固定クリップに関し、特に、嵌合式の医療用接続チューブの固定クリップに関する。
【背景技術】
【０００２】
医療行為を行う際、例えば、導尿チューブ、鼻用酸素吸入チューブ、輸血チューブなど様々な医療用チューブが使用される。これらの医療用チューブは、人体に接触された位置から一定長さで延ばされ、例えば、尿バッグ、酸素供給器具、血液透析器などの医療機器に外付けされる。露出されて延ばされたチューブが患者の着座や横臥に悪影響を与えることを防ぐために、特定の箇所にチューブを固定してチューブの経路を整理する必要があった。
【０００３】
しかし従来の医療用接続チューブの固定クリップは理想的でなく、医療スタッフなどのユーザは、輪ゴムをクリップに通してから接続チューブに複数回巻き付け、クリップを接続チューブに取り付けることが一般的であった。しかし、このような巻き付け方式は不便であるだけでなく、輪ゴムも疲労・劣化により伸びたり破断したりして接続チューブが外れることがある。このように、ユーザおよび患者にとって不便であり、最悪の場合、接続チューブが医療機器または人体から外れて病人に危険が生じたり、不必要な苦痛を与えたりする虞があった。
【考案の概要】
【考案が解決しようとする課題】
【０００４】
そのため、医療用接続チューブを容易に組み立てたり固定したりすることができる上、医療用接続チューブが不用意に外れることを防ぐ医療用接続チューブの固定クリップが求められていた。
そのため、本考案の目的は、従来技術の問題点を改善する医療用接続チューブの固定クリップを提供することにある。
【課題を解決するための手段】
【０００５】
上記課題を解決するために、本考案の第１の形態によれば、挟着部材および嵌合部材を備え、医療用接続チューブを固定するために用いる医療用接続チューブの固定クリップであって、前記挟着部材は、可撓性を備え、上押縁と、前記上押縁から延びた下ホルダとを有する第１の押え部材と、下押縁と、前記下押縁から延びた上ホルダとを有する第２の押え部材と、を有し、前記上押縁と前記下押縁との間には、内圧空間が形成され、前記第１の押え部材と前記第２の押え部材とを交差させて前記上ホルダと前記下ホルダとを対向状に形成したり、前記第１の押え部材と前記第２の押え部材とを交差させずに前記上ホルダと前記下ホルダとを背中合わせに形成したりし、前記嵌合部材は、前記挟着部材に延設され、前記医療用接続チューブを挿通させる挿通孔を有し、前記第１の押え部材と前記第２の押え部材とが交差され、前記上押縁および前記下押縁に力が加えられて内圧空間が小さくなると、前記上ホルダと前記下ホルダとが分離して挟着開口が形成され、力が加えられなくなると、前記上ホルダと前記下ホルダとが復位して密着され、前記挟着開口が閉じられることを特徴とする医療用接続チューブの固定クリップが提供される。
【０００６】
前記嵌合部材と前記挟着部材とが一体成形されることが好ましい。
【０００７】
前記挿通孔には、内方に突出した複数の突出部が形成されていることが好ましい。
【０００８】
前記突出部は、プレート状であることが好ましい。
【０００９】
前記突出部は、可撓性を有することが好ましい。
【００１０】
前記内圧空間は、前記挿通孔の嵌合空間と連通することが好ましい。
【００１１】
前記上ホルダと前記下ホルダとの互いに対向する側部には、それぞれ歯部が設けられていることが好ましい。
【００１２】
前記第１の押え部材の前側と前記第２の押え部材の後側とには、溝部がそれぞれ凹設されることが好ましい。
【００１３】
前記溝部は、円弧状に形成され、前記上押縁および前記下押縁の幅より大きい長さを有することが好ましい。
【００１４】
前記上押縁の上側および前記下押縁の底側には、押圧凹部がそれぞれ形成されることが好ましい。
【００１５】
前記挿通孔は円形状であることが好ましい。
【考案の効果】
【００１６】
本考案の医療用接続チューブの固定クリップは、挟着部材から延びて形成された医療用接続チューブを挿通させる挿通孔が嵌合部材に形成されているため、医療用接続チューブを容易に挿通して挟着させることができる。挿通孔内の内方に延びた複数の突出部は、医療用接続チューブの保持力を高め、医療用チューブの様々な管径に適用させることができる。このように本考案は伸びたり破断したりして医療用チューブが外れることを防ぎ、使用が非常に簡単なため、ユーザおよび患者の負担を減らすことができる。
【図面の簡単な説明】
【００１７】
【図１】図１は、本考案の第１実施形態に係る医療用接続チューブの固定クリップを示す斜視図（１）である。
【図２】図２は、本考案の第１実施形態に係る医療用接続チューブの固定クリップを示す斜視図（２）である。
【図３】図３は、本考案の第１実施形態に係る医療用接続チューブの固定クリップを示す側面図である。
【図４Ａ】図４Ａは、本考案の第１実施形態に係る医療用接続チューブの固定クリップに医療用チューブを挿通したときの状態を示す模式図である。
【図４Ｂ】図４Ｂは、本考案の第１実施形態に係る医療用接続チューブの固定クリップを押圧するときの状態を示す模式図である。
【図５】図５は、本考案の第１実施形態に係る医療用接続チューブの固定クリップを使用するときの状態を示す模式図である。
【図６】図６は、本考案の第２実施形態に係る医療用接続チューブの固定クリップを示す斜視図である。
【考案を実施するための形態】
【００１８】
以下、本考案の実施形態について図に基づいて説明する。なお、これによって本考案が限定されるものではない。
【００１９】
（第１実施形態）
図１〜図３を参照する。図１〜図３に示すように、本考案の第１実施形態に係る医療用接続チューブの固定クリップ１００は、少なくとも挟着部材１および嵌合部材２から構成される。
【００２０】
挟着部材１は、上押縁１１１と、上押縁１１１から延びた下ホルダ１１２とを有する第１の押え部材１１と、下押縁１２１と、下押縁１２１から延びた上ホルダ１２２とを有する第２の押え部材１２と、を含む。
【００２１】
挟着部材１は、可撓性を有し、第１の押え部材１１と第２の押え部材１２とを交差させてもよいし（図１参照）、交差させなくてもよい（図２参照）。図３に示すように、第１の押え部材１１と第２の押え部材１２とを交差する場合、第１の押え部材１１の下ホルダ１１２を回転方向Ｒ１で回して第２の押え部材１２の上ホルダ１２２に接触させ（または第２の押え部材１２の上ホルダ１２２を回転方向Ｒ１で回して第１の押え部材１１の下ホルダ１１２に接触させ）、第１の押え部材１１と第２の押え部材１２とが交差されず、上ホルダ１２２と下ホルダ１１２とが背中合わせの状態に配置される。逆もまた然り、第１の押え部材１１と第２の押え部材１２とを交差しないとき、第１の押え部材１１の下ホルダ１１２が第２の押え部材１２の上ホルダ１２２に対し、回転方向Ｒ２で回されると（または第２の押え部材１２の上ホルダ１２２が第１の押え部材１１の下ホルダ１１２に対し、回転方向Ｒ２で回されると）、第１の押え部材１１と第２の押え部材１２とが交差し、上ホルダ１２２と下ホルダ１１２とが対向状に配置される。
【００２２】
嵌合部材２は、挟着部材１に延設される。第１実施形態の嵌合部材２は、挟着部材１と一体成形されるが、他の実施形態では、嵌合部材２が挟着部材１と組み合わされて延ばされてもよい。嵌合部材２には、医療用接続チューブ３を挿通させるために用いる円形状の挿通孔２１が形成されている（図４Ａおよび図４Ｂ参照）。挿通孔２１には、内方に突出された複数の突出部２１１が形成され、複数の突出部２１１により医療用接続チューブ３を保持する嵌合部材２の保持力を高め、嵌合部材２中に挿通される医療用接続チューブ３を安定的に嵌合させることができる。突出部２１１は、プレート状である上、可撓性を備えて前後方へ曲げることができるため、嵌合部材２は、医療用チューブの様々な管径に対応することができ、適用範囲が広い。
【００２３】
第１の押え部材１１と第２の押え部材１２とが交差され、ユーザの２本の指Ｆにより上押縁１１１および下押縁１２１に力が加えられると、上押縁１１１と下押縁１２１との間に形成される内圧空間Ｓ１が小さくなり、下ホルダ１１２が上ホルダ１２２に対して回転方向Ｒ３で回されると（即ち、上ホルダ１２２が下ホルダ１１２に対して回転方向Ｒ４で回されると）、上ホルダ１２２と下ホルダ１１２とが分離して挟着開口Ｖ１が形成される（図４Ｂ参照）。
【００２４】
挟着開口Ｖ１は、被挟着物を挟着しつつ、２本の指Ｆに加える力を低減させると、上ホルダ１２２および下ホルダ１１２が復位して挟着開口Ｖ１が閉じ、被挟着物が挟着される。第１実施形態において、上ホルダ１２２と下ホルダ１１２とが対向する側部には歯部１３が形成され、被挟着物を挟着する医療接続チューブの固定クリップ１００の挟着力を高めてもよい。
【００２５】
挟着開口Ｖ１を押圧方式により容易に形成することができるように、上押縁１１１の上側に押圧凹部１１１１を形成し、下押縁１２１の底側に押圧凹部１２１１を形成し、ユーザの２本の指Ｆにより押圧凹部１１１１，１２１１を同時に押圧することにより効果的に力を加えることができる。
【００２６】
挟着開口Ｖ１が展開されるときの寸法を制限するために、第１の押え部材１１の前側および第２の押え部材１２の後側には、凹んだ溝部１１３および凹んだ溝部１２３がそれぞれ形成される。溝部１１３，１２３は、円弧状に形成され、上押縁１１１および下押縁１２１の幅より大きい長さを有する。この構成により、上押縁１１１が回転方向Ｒ３の変位空間に沿って溝部１２３内に制限され、下押縁１２１が回転方向Ｒ４の変位空間に沿って溝部１１３内に制限されるため、挟着開口Ｖ１が展開される寸法を制限することができる。
【００２７】
図５を参照する。図５に示すように、本考案の第１実施形態に係る医療用接続チューブの固定クリップを実際に使用する際、尿バッグ５に連通した医療用接続チューブ３を嵌合部材２の挿通孔２１へ挿通させた後、力を加えて上ホルダ１２２と下ホルダ１１２とを分離してから、シーツ４を挟んだ後に加える力を低減させると、上ホルダ１２２と下ホルダ１１２とが復位してシーツ４を強く挟着させることができる。これにより医療用接続チューブ３をシーツ４上に固定し、尿バッグ５が不用意に滑り落ちるなどの状況が発生することを防ぎ、尿バッグ５を患者Ｐの下方へ固定させて導尿がスムーズに行われるようにすることができる。勿論、本考案はこれだけに限定されるわけではなく、医療用接続チューブ３は、導尿用接続チューブとして用いる以外に、鼻用酸素吸入チューブ、輸血チューブなどとして用い、衣類、ズボン、車椅子の背凭れなど様々な場所へ挟着させることができるため、適用範囲が広い。
【００２８】
（第２実施形態）
図６を参照する。図６は、本考案の第２実施形態に係る医療用接続チューブの固定クリップを示す斜視図である。図６に示すように、本考案の第２実施形態に係る医療用接続チューブの固定クリップ１００ａは、第１実施形態の医療接続チューブの固定クリップ１００と略同じであり、同一の部分には同一の符号を付してあるが、内圧空間Ｓ１と挿通孔２１の嵌合空間Ｓ２とが連通している点が相違する。この構成により、ユーザは２本の指で上押縁１１１および下押縁１２１を押圧することにより、挟着開口を少ない力で形成することができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。したがって、本考案の実用新案登録請求の範囲は、このような変更や修正を含めて広く解釈されるべきである。
【符号の説明】
【００３０】
１  挟着部材
２  嵌合部材
３  医療用接続チューブ
４  シーツ
５  尿バッグ
１１  第１の押え部材
１２  第２の押え部材
１３  歯部
２１  挿通孔
１００  医療接続チューブの固定クリップ
１００ａ  医療接続チューブの固定クリップ
１１１  上押縁
１１２  下ホルダ
１１３  溝部
１２１  下押縁
１２２  上ホルダ
１２３  溝部
２１１  突出部
１１１１  押圧凹部
１２１１  押圧凹部
Ｆ  指
Ｐ  患者
Ｒ１  回転方向
Ｒ２  回転方向
Ｒ３  回転方向
Ｒ４  回転方向
Ｓ１  空間
Ｓ２  空間
Ｖ１  開口
【図１】
0003185409.tif 000003
【図２】
0003185409.tif 000004
【図３】
0003185409.tif 000005
【図４Ａ】
0003185409.tif 000006
【図４Ｂ】
0003185409.tif 000007
【図５】
0003185409.tif 000008
【図６】
0003185409.tif 000009